(57)【特許請求の範囲】
【請求項１】
外部音声出力端子と、外部音声出力端子に外部端子が接続されていない場合に外部音声出力端子に接続されるモノラルの内部スピーカとを有する音声出力回路において、
左チャンネルの入力音声信号と右チャンネルの入力音声信号とを混合するための混合回路、
左チャンネルおよび右チャンネルの一方を第１チャンネルとし、他方を第２チャンネルとして、混合回路の出力信号と第１チャンネルの入力音声信号とが入力され、それらの信号を切り替えて出力するための切替回路、
切替回路の出力信号が入力されかつ第１チャンネルの出力音声信号またはモノラルの出力音声信号を生成するための第１音声信号生成回路、
第２チャンネルの入力音声信号が入力されかつ第２チャンネルの出力音声信号を生成するための第２音声信号生成回路、
外部音声出力端子に外部端子が接続されているか否かを検出する検出回路、
外部音声出力端子に外部端子が接続されていない場合に、切替回路から混合回路の出力信号が出力されるように切替回路を制御し、外部音声出力端子に外部端子が接続されている場合に、切替回路から第１チャンネルの入力音声信号が出力されるように切替回路を制御する制御回路、ならびに
外部音声出力端子に外部端子が接続されていない場合に、第２音声信号生成回路の消費電力を低減化させる消費電力低減化手段を備えていることを特徴とする音声出力回路。
【請求項２】
消費電力低減化手段は、外部音声出力端子に外部端子が接続されていない場合に、第２チャンネルの出力音声信号をミュートさせるように第２音声信号生成回路を制御するものであることを特徴とする請求項１に記載の音声出力回路。
【発明の詳細な説明】
【０００１】
【発明の属する技術分野】
本発明は、オーディオ機器に使われるスピーカ端子とは異なるイヤホン・ジャックなどのホーン・ジャックをスピーカ出力端子に兼用する外部音声出力端子を持ち、また内部スピーカを持つ機器の音声出力回路に関する。
【０００２】
【従来の技術】
オーディオ機器に使われるスピーカ端子は大きいため、機器の小型化を図る上で部品面積の小さいイヤホン・ジャックなどのホーン・ジャックを外部音声出力端子として用いる場合がある。
【０００３】
図２は、ホーン・ジャックが外部音声出力端子として用いられている従来の音声出力回路の構成を示している。
【０００４】
図２において、１、２は、ＶＣＡ(Voltage Control Amplifier) と呼ばれるＤＣ電圧で出力利得をミュート（出力停止）から−１２ｄｂ〜＋６ｄｂ程度に変えられるＩＣであり、プリ・アンプに相当する。これらのＩＣ１、２は、それに加えられる音量コントロール電圧Ｖｏｌによって、入力信号であるＬ信号、Ｒ信号の振幅を変化させる。音量コントロール電圧ＶｏｌがＧＮＤである場合にはＩＣ１、２はミュート状態となり、音量コントロール電圧Ｖｏｌが上昇するにしたがってＩＣ１、２の出力電圧が大きくなる。
【０００５】
各ＩＣ１、２の出力信号は、音声出力用のＩＣ３（メインアンプ）に送られ、一定の増幅率で増幅される。ＩＣ３から出力される左右各チャンネルの音声信号は、外部出力用に直流電流分を切断するコンデンサー４、５を介して、外部音声出力端子であるホーン・ジャック６に送られる。
【０００６】
ホーン・ジャック６に外部端子が挿入されていない場合には、左右各チャンネルの出力音声信号は、それぞれ内部の左右スピーカ７、８に送られて出力される。
【０００７】
ホーン・ジャック６に外部端子が挿入されている場合には、ホーン・ジャック６内の接点が外れ、挿入された外部端子にのみ左右各チャンネルの出力音声信号が送られる。従って、内部スピーカ７、８には電流が流れないため、内部スピーカ７、８は駆動されない。その代わりに、外部端子側に電流が流れて外部スピーカが駆動されることになる。
【０００８】
【発明が解決しようとする課題】
従来の音声出力回路においては、内部スピーカも音声出力端子（ホーン・ジャック）も、ステレオ出力用のものが使用されている。しかしながら、ステレオ信号を出力するための音声出力回路においても、それが搭載される機器の小型化を図るために、内部スピーカを１つにすることが考えられる。
【０００９】
この発明は、ステレオ信号を出力するための音声出力回路であって、単一のモノラルの内部スピーカを備えたものにおいて、信号を自動的に切り替えることができるとともに、省電力化が図れる音声出力回路を提供することを目的とする。
【００１０】
【課題を解決するための手段】
請求項１の発明は、外部音声出力端子と、外部音声出力端子に外部端子が接続されていない場合に外部音声出力端子に接続されるモノラルの内部スピーカとを有する音声出力回路において、左チャンネルの入力音声信号と右チャンネルの入力音声信号とを混合するための混合回路、左チャンネルおよび右チャンネルの一方を第１チャンネルとし、他方を第２チャンネルとして、混合回路の出力信号と第１チャンネルの入力音声信号とが入力され、それらの信号を切り替えて出力するための切替回路、切替回路の出力音声信号が入力されかつ第１チャンネルの出力音声信号またはモノラルの音声信号を生成するための第１音声信号生成回路、第２チャンネルの入力音声信号が入力されかつ第２チャンネルの出力音声信号を生成するための第２音声信号生成回路、外部音声出力端子に外部端子が接続されているか否かを検出する検出回路、外部音声出力端子に外部端子が接続されていない場合に、切替回路から混合回路の出力信号が出力されるように切替回路を制御し、外部音声出力端子に外部端子が接続されている場合に、切替回路から第１チャンネルの入力音声信号が出力されるように切替回路を制御する制御回路、ならびに外部音声出力端子に外部端子が接続されていない場合に、第２音声信号生成回路の消費電力を低減化させる消費電力低減化手段を備えていることを特徴とする。
【００１１】
請求項２の発明は、請求項１の発明において、消費電力低減化手段は、外部音声出力端子に外部端子が接続されていない場合に、第２チャンネルの出力音声信号をミュートさせるように第２音声信号生成回路を制御するものであることを特徴とする。
【００１２】
【発明の実施の形態】
以下、図１を参照して、この発明を液晶プロジェクタに用いられる音声出力回路に適用した場合の実施の形態について説明する。
【００１３】
図１は、液晶プロジェクタに用いられる本発明の音声出力回路の構成を示している。図１において、図２と同じものには、同じ符号を付してその説明を省略する。
【００１４】
図１の本発明の音声出力回路と図２の従来例との違いは、本発明の音声出力回路では、内部スピーカがモノラルとなっている点にある。つまり、図２の右チャンネルの内部スピーカ８は設けられおらず、左チャンネルの内部スピーカ７のみが設けられている。
【００１５】
内部スピーカがモノラルとなっているため、この実施の形態では、左右各チャンネルの入力音声信号Ｌ、Ｒを混合するための混合回路１１と、入力音声信号Ｌ、Ｒを混合したものと、本来の左チャンネルの音声入力信号Ｌとを切り換えるためのスイッチＩＣ１２とが追加されている。
【００１６】
また、上記スイッチＩＣ１２を制御するための制御回路が追加されている。また、この制御回路の出力に基づいて、右チャンネルの音声入力信号Ｒのためのプリアンプ（ＩＣ２）を非作動状態（ミュート状態）にさせるための回路が追加されている。
【００１７】
スイッチＩＣ１２を制御するための制御回路は、スイッチング・トランジスタ２６、抵抗２１、２２、２３、２４およびコンデンサ２５から構成されている。
【００１８】
スイッチング・トランジスタ２６のベースは、抵抗２２、ホーン・ジャック６の右チャンネルの内部スピーカ接続用端子および抵抗２１を介して直流電源Ｂに接続されている。スイッチング・トランジスタ２６のベースと抵抗２２との接続点は、抵抗２３を介して接地されているとともに、コンデンサ２５を介して接地されている。
【００１９】
スイッチング・トランジスタ２６のエミッタは接地されている。スイッチング・トランジスタ２６のコレクタは、抵抗２４を介して直流電源Ｂに接続されている。スイッチング・トランジスタ２６のコレクタ電圧が、スイッチＩＣ１２の切り替え制御信号として用いられている。
【００２０】
プリアンプ（ＩＣ２）を非作動状態にさせるための回路は、スイッチング・トランジスタ２６によってオンオフ制御される第１のスイッチング・トランジスタ３１と、第１のスイッチング・トランジスタ３１によってオンオフ制御される第２のスイッチング・トランジスタ３２とを備えている。
【００２１】
第１のスイッチング・トランジスタ３１のベースは、抵抗３３を介してスイッチング・トランジスタ２６のコレクタに接続されている。第１のスイッチング・トランジスタ３１のエミッタは接地されている。第１のスイッチング・トランジスタ３１のコレクタは、抵抗３４を介して直流電源Ｂに接続されている。
【００２２】
第２のスイッチング・トランジスタ３２のベースは、第１のスイッチング・トランジスタ３１のコレクタに接続されている。第２のスイッチング・トランジスタ３２のエミッタは接地されている。第２のスイッチング・トランジスタ３２のコレクタは、プリアンプ（ＩＣ２）のコントロール電圧供給端子に接続されている。
【００２３】
ホーン・ジャック６に外部端子が接続されていない場合、ホーン・ジャック６に外部端子が接続されている場合に分けて、動作を説明する。
【００２４】
（１）ホーン・ジャック６に外部端子が接続されていない場合の動作
【００２５】
抵抗２１は、ホーン・ジャック６に接続されるスピーカへの影響が１／１０００以下になるように、数１０ＫΩ以上、たとえば４０ＫΩに設定されている。ホーン・ジャック６に外部端子が接続されていない場合には、抵抗２１経由で加えられる電位が、ホーン・ジャック６の右チャンネルの内部スピーカ接続用端子および抵抗２２を介してスイッチング・トランジスタ２６のベースに加えられるので、スイッチング・トランジスタ２６がオンとなる。
【００２６】
なお、抵抗２２、２３は、たとえば、２０ＫΩ程度に設定されている。したがって、スイッチング・トランジスタ２６のベースに加えられる電位は、（１／４）×Ｂ程度となる。コンデンサ２５は、音声信号によってスイッチング・トランジスタ２６の動作が乱れないようにするために設けられている。
【００２７】
スイッチング・トランジスタ２６がオンとなると、スイッチング・トランジスタ２６のコレクタ電圧（スイッチＩＣ１２の切り替え制御信号）はＬｏとなる。スイッチＩＣ１２の切り替え制御信号がＬｏの場合には、スイッチＩＣ１２は混合回路１１の出力を選択して出力する。
【００２８】
したがって、混合回路１１から出力される混合信号が、スイッチＩＣ１２、ＩＣ１、ＩＣ３、コンデンサ４およびホーン・ジャック６を介して内部スピーカ７に送られる。
【００２９】
一方、スイッチング・トランジスタ２６のコレクタ電圧がＬｏとなると、第１のスイッチング・トランジスタ３１がオフとなり、第２のスイッチング・トランジスタ３２がオンとなる。この結果、右チャンネル側のプリアンプ（ＩＣ２）のコントロール電圧はＧＮＤとなる。したがって、右チャンネル側のプリアンプ（ＩＣ２）は音声ミュート状態となり、ＩＣ２の出力は直流成分になる。このように右チャンネル側の回路をＤＣ信号、つまり右チャンネルの音声信号を無しにすることにより、音声出力回路の消費電力は、約４０％の省電力を達成できる。
【００３０】
（２）ホーン・ジャック６に外部端子が接続されている場合の動作
【００３１】
ホーン・ジャック６に外部端子が接続されている場合には、ホーン・ジャック６内の接点が外れるので、抵抗２２の一端はホーン・ジャック６から切り離されてオープンとなる。このため、抵抗２２には電圧が印加されず、コンデンサ２５に蓄積されていた電荷が抵抗２３を介して放電されるため、スイッチング・トランジスタ２６が直ちにオフとなる。
【００３２】
スイッチング・トランジスタ２６がオフとなると、スイッチング・トランジスタ２６のコレクタ電圧（スイッチＩＣ１２の切り替え制御信号）はＨｉとなる。スイッチＩＣ１２の切り替え制御信号がＨｉとなると、スイッチＩＣ１２は左チャンネルの入力音声信号Ｌを選択して出力する。
【００３３】
一方、スイッチング・トランジスタ２６のコレクタ電圧がＨｉとなると、第１のスイッチング・トランジスタ３１がオンとなり、第２のスイッチング・トランジスタ３２がオフとなる。この結果、右チャンネル側のプリアンプ（ＩＣ２）へは本来のコントロール電圧が与えられるようになる。つまり、右チャンネル側のプリアンプ（ＩＣ２）は音声ミュート状態から解除され、右チャンネル側のプリアンプ（ＩＣ２）から音声信号が出力される。
【００３４】
したがって、左右各チャンネルの入力音声信号Ｌ、Ｒそれぞれが、プリアンプ（ＩＣ１、ＩＣ２）、音声出力用のＩＣ３、コンデンサ４、５およびホーン・ジャック６を介して外部端子に送られる。
【００３５】
なお、音声出力用のＩＣ３として、右チャンネルと左チャンネルとを個別にミャートおよびイネーブルさせる機能を備えたものを用いる場合には、音声出力用のＩＣ３においても、右チャンネルのための回路に対して同様な制御を行うようにしてもよい。
【００３６】
【発明の効果】
この発明によれば、ステレオ信号を出力するための音声出力回路であって、単一のモノラルの内部スピーカを備えたものにおいて、信号を自動的に切り替えることができるとともに、省電力化が図れるようになる。
【図面の簡単な説明】
【図１】本発明の実施の形態である音声出力回路の構成を示す回路図である。
【図２】従来の音声出力回路の構成を示す回路図である。
【符号の説明】
１、２  ＩＣ（プリアンプ）
３  音声出力用のＩＣ
６  ホーン・ジャック（外部音声出力端子）
１１  混合回路
１２  スイッチＩＣ
２６、３１、３２  スイッチング・トランジスタ
【図１】
0003851156.tif 000002
【図２】
0003851156.tif 000003